(57)【要約】      （修正有）【課題】異なった容器本体の口径に対応することができる定量吐出キャップを提供する。【解決手段】定量吐出キャップＣは、容器本体に着脱自在に装着される定量吐出キャップＣであって、外方へ容器本体の内容物を吐出する第１の開口部２１、この第１の開口部２１を開閉する蓋２２を備えたキャップ本体と、キャップ本体に、少なくとも、外方へ張り出す第１、第２のパッキン２８、２９とを備え、第２のパッキン２９の外径は、第１のパッキン２８の外径より大であり、第１の案内通路２３の容器本体内に臨む開口部は、第２の開口部２３ａであり、第２の開口部２３ａから第１の開口部２１に向かう方向に、第１のパッキン２８、第２のパッキン２９の順で配置されているものである。【選択図】図３
0003205790.tif 000002
【実用新案登録請求の範囲】
【請求項１】
容器本体に着脱自在に装着される定量吐出キャップであって、
外方へ前記容器本体の内容物を吐出する第１の開口部、この第１の開口部を開閉する蓋を備えたキャップ本体と、
このキャップ本体内に設けられ、前記容器本体に連通すると共に、前記容器本体内の内容物を案内する第１の案内通路と、
前記容器本体を第１の方向に傾けた状態にあって、前記第１の案内通路に案内された前記容器本体内の内容物を一定量貯留する第１の貯留室と、
前記キャップ本体内に設けられ、前記第１の貯留室に連通すると共に、前記第１の貯留室内の内容物を案内する第２の案内通路と、
前記キャップ本体内に設けられ、前記容器本体を前記第１の方向と逆方向に傾けた状態にあって、前記第２の案内通路に案内された前記第１の貯留室に貯留された内容物を貯留する第２の貯留室と、
前記キャップ本体内に設けられ、前記第２の貯留室に貯留された内容物を前記第１の開口部へ導く第３の案内通路と、
前記キャップ本体に、少なくとも、外方へ張り出す第１、第２のパッキンとを備え、
前記第２のパッキンの外径Ｐ２は、前記第１のパッキンの外径Ｐ１より大であり、
前記第１の案内通路の前記容器本体内に臨む開口部は、第２の開口部であり、
前記第２の開口部から前記第１の開口部に向かう方向に、前記第１のパッキン、前記第２のパッキンの順で配置され、
前記第１の方向は、前記容器本体を正立させた状態から倒立させる方向である
ことを特徴とする定量吐出キャップ。
【請求項２】
キャップ本体に第１のパッキンと同じ外径Ｐ１を有する第１’のパッキンを前記第１のパッキンに並設し、      
前記キャップ本体に第２のパッキンと同じ外径Ｐ２を有する第２’のパッキンを前記第２のパッキンに並設する
ことを特徴とする請求項１記載の定量吐出キャップ。
【請求項３】
第１の貯留室は、一端が開口した凹所で、
前記凹所の開口部は、第２の開口部に臨み、
前記凹所の底部の中心が第１の開口部の中心より外れた位置に配置されている
ことを特徴とする請求項１又は請求項２記載の定量吐出キャップ。
【請求項４】
容器本体に着脱自在に装着される吐出キャップであって、
外方へ前記容器本体の内容物を吐出する第１の開口部、この第１の開口部を開閉する蓋、前記容器本体内に臨む第２の開口部を備えたキャップ本体と、
前記キャップ本体に、少なくとも、外方へ張り出す第１、第２のパッキンとを備え、
前記第２のパッキンの外径Ｐ２は、前記第１のパッキンの外径Ｐ１より大であり、
前記第２の開口部から前記第１の開口部に向かう方向に、前記第１のパッキン、前記第２のパッキンの順で配置されている
ことを特徴とする吐出キャップ。
【考案の詳細な説明】
【技術分野】
【０００１】
本考案は、定量吐出キャップ及び吐出キャップに係り、特に、異なった容器本体の口径に対応することができる定量吐出キャップ及び吐出キャップに関する。
【背景技術】
【０００２】
従来、容器本体に装着され、容器本体内の内容物（例えば、洗剤、砂糖等の粉体または顆粒状体）を一定量吐出させる定量吐出キャップがある（例えば、特許文献１参照）。
この定量吐出キャップは、容器本体内と連通し、容器本体の倒立状態で内容物が流れ込む第１貯留室と、容器本体の正立状態で内容物が第１貯留室から流れ込み貯留される第２貯留室と、第１貯留室を横切るようにして延び、第２貯留室に一端開口が臨む筒状の吐出樋とを備え、容器本体内の内容物を吐出樋から一定量吐出することができるようになっている。
【先行技術文献】
【特許文献】
【０００３】
【特許文献１】特許第５１５２４９６号公報
【考案の概要】
【考案が解決しようとする課題】
【０００４】
しかしながら、上記定量吐出キャップにあっては、容器本体の口径が異なると、定量吐出キャップを容器本体に装着できないという問題点があった。
また、定量吐出キャップでない単に吐出する吐出キャップにあっては、容器本体の口径が異なると、吐出キャップを容器本体に装着できないという問題点があった。
【０００５】
本考案は、上記の問題点を考慮してなされたもので、異なった容器本体の口径に対応することができる定量吐出キャップ及び吐出キャップを提供することを目的とする。
【課題を解決するための手段】
【０００６】
請求項１記載の定量吐出キャップは、容器本体に着脱自在に装着される定量吐出キャップであって、外方へ前記容器本体の内容物を吐出する第１の開口部、この第１の開口部を開閉する蓋を備えたキャップ本体と、このキャップ本体内に設けられ、前記容器本体に連通すると共に、前記容器本体内の内容物を案内する第１の案内通路と、前記容器本体を第１の方向に傾けた状態にあって、前記第１の案内通路に案内された前記容器本体内の内容物を一定量貯留する第１の貯留室と、前記キャップ本体内に設けられ、前記第１の貯留室に連通すると共に、前記第１の貯留室内の内容物を案内する第２の案内通路と、前記キャップ本体内に設けられ、前記容器本体を前記第１の方向と逆方向に傾けた状態にあって、前記第２の案内通路に案内された前記第１の貯留室に貯留された内容物を貯留する第２の貯留室と、前記キャップ本体内に設けられ、前記第２の貯留室に貯留された内容物を前記第１の開口部へ導く第３の案内通路と、前記キャップ本体に、少なくとも、外方へ張り出す第１、第２のパッキンとを備え、前記第２のパッキンの外径Ｐ２は、前記第１のパッキンの外径Ｐ１より大であり、前記第１の案内通路の前記容器本体内に臨む開口部は、第２の開口部であり、前記第２の開口部から前記第１の開口部に向かう方向に、前記第１のパッキン、前記第２のパッキンの順で配置され、前記第１の方向は、前記容器本体を正立させた状態から倒立させる方向である。
【０００７】
また、請求項２記載の定量吐出キャップは、請求項１記載の定量吐出キャップにおいて、キャップ本体に第１のパッキンと同じ外径Ｐ１を有する第１’のパッキンを前記第１のパッキンに並設し、前記キャップ本体に第２のパッキンと同じ外径Ｐ２を有する第２’のパッキンを前記第２のパッキンに並設するものである。
【０００８】
また、請求項３記載の定量吐出キャップは、請求項１又は請求項２記載の定量吐出キャップにおいて、第１の貯留室は、一端が開口した凹所で、前記凹所の開口部は、第２の開口部に臨み、前記凹所の底部の中心が第１の開口部の中心より外れた位置に配置されているものである。
【０００９】
また、請求項４記載の吐出キャップは、容器本体に着脱自在に装着される吐出キャップであって、外方へ前記容器本体の内容物を吐出する第１の開口部、この第１の開口部を開閉する蓋、前記容器本体内に臨む第２の開口部を備えたキャップ本体と、前記キャップ本体に、少なくとも、外方へ張り出す第１、第２のパッキンとを備え、前記第２のパッキンの外径Ｐ２は、前記第１のパッキンの外径Ｐ１より大であり、前記第２の開口部から前記第１の開口部に向かう方向に、前記第１のパッキン、前記第２のパッキンの順で配置されているものである。
【考案の効果】
【００１０】
請求項１記載の定量吐出キャップによれば、キャップ本体に、少なくとも、外方へ張り出す第１、第２のパッキンとを備え、第２のパッキンの外径Ｐ２は、第１のパッキンの外径Ｐ１より大であり、第１の案内通路の容器本体内に臨む開口部は、第２の開口部であり、第２の開口部から第１の開口部に向かう方向に、第１のパッキン、第２のパッキンの順で配置されているため、容器本体の口径の内径がＰ１より小さくキャップ本体の口径より大きい場合には、第１のパッキンが容器本体の口径の内壁に圧接してシールされると共に、容器本体に装着され、容器本体の口径の内径がＰ１より大きくＰ２より小さい場合には、第２のパッキンが容器本体の口径の内壁に圧接してシールされると共に、容器本体に装着され、つまり、1個の定量吐出キャップにより、異なった容器本体の口径に対応することができる。
【００１１】
また、請求項２記載の定量吐出キャップによれば、上述した請求項１記載の考案の効果に加え、キャップ本体に第１のパッキンと同じ外径Ｐ１を有する第１’のパッキンを前記第１のパッキンに並設し、前記キャップ本体に第２のパッキンと同じ外径Ｐ２を有する第２’のパッキンを前記第２のパッキンに並設している、つまり、同じ外径のパッキンを並設して、容器本体の装着とシールをより確実に行うことができる。
【００１２】
また、請求項３記載の定量吐出キャップによれば、上述した請求項１又は請求項２記載の考案の効果に加え、第１の貯留室は、一端が開口した凹所で、前記凹所の開口部は、第２の開口部に臨み、前記凹所の底部の中心が第１の開口部の中心より外れた位置に配置されているため、前記凹の底部の中心と第１の開口部の中心とが一致したものに比較し、第２の案内通路、第３の案内通路の通路を大きくとれる分、内容物をスムーズに案内することができ、特に、容器本体の口径が小さくなった場合に、有効である。
【００１３】
また、請求項４記載の吐出キャップによれば、キャップ本体に、少なくとも、外方へ張り出す第１、第２のパッキンとを備え、前記第２のパッキンの外径Ｐ１は、前記第１のパッキンの外径Ｐ２より大であり、前記第１の案内通路の前記容器本体内に臨む開口部は、第２の開口部であり、前記第２の開口部から前記第１の開口部に向かう方向に、前記第１のパッキン、前記第２のパッキンの順で配置されているため、容器本体の口径の内径がＰ１より小さくキャップ本体の口径より大きい場合には、第１のパッキンが容器本体の口径の内壁に圧接してシールされると共に、容器本体に装着され、容器本体の口径の内径がＰ１より大きくＰ２より小さい場合には、第２のパッキンが容器本体の口径の内壁に圧接してシールされると共に、容器本体に装着され、つまり、1個の吐出キャップにより、異なった容器本体の口径に対応することができる。
【図面の簡単な説明】
【００１４】
【図１】図１は、本考案の一実施例の定量吐出キャップの概略的正面図である。
【図２】図２は、図１のＡ−Ａ線による概略的断面図である。
【図３】図３は、図１の定量吐出キャップの蓋を開放した状態の概略的断面図である。
【図４】図４は、図１の定量吐出キャップを容器本体に装着した概略的断面図である。
【図５】図５は、図４の定量吐出キャップを図４と異なる容器本体に装着した概略的断面図である。
【図６】図６は、図１の定量吐出キャップの使用状態を示す概略的図であり、図６（ａ）は、図１の定量吐出キャップを装着した容器本体を第１の方向（反時計回り）に傾けた状態にあって、容器本体内の内容物が第１の案内通路に案内され、容器本体内の内容物が第１の貯留室に貯留される状態を示す概略的図であり、図６（ｂ）は、図６（ａ）の容器本体を第１の方向と逆方向（時計回り）に傾けた状態にあって、容器本体内の内容物が第２の案内通路に案内され、容器本体内の内容物が第２の貯留室に貯留される状態を示す概略的図であり、図６（ｃ）は、図６（ｂ）と逆方向に傾けた状態にあって、容器本体内の内容物を容器本体外へ吐出する状態を示す概略的図である。
【図７】図７は、図３の定量吐出キャップと異なる他の実施例の定量吐出キャップの蓋を開放した状態の概略的断面図である。
【考案を実施するための形態】
【００１５】
本考案の一実施例の定量吐出キャップを図面を参照して説明する（図１乃至図６参照）。
図１に示すＣは定量吐出キャップで、定量吐出キャップＣは、容器本体１の内容物１１（図６参照）を定量吐出するのもので、図４、図５に示す容器本体１、１’に着脱自在に装着されるものである。
【００１６】
図１に示す２はキャップ本体で、キャップ本体２は、外方へ容器本体１の内容物１１を吐出する第１の開口部２１［図３、図６（Ｃ）参照］、この第１の開口部２１を開閉する蓋２２を備えている。
内容物１１は、例えば、インスタントコーヒー、洗剤、砂糖等の粉体または顆粒状体で、本実施例では、インスタントコーヒーの顆粒状体で、定量は、例えば、インスタントコーヒーの顆粒状体を２ｇ程度である。
【００１７】
図３に示す２３は第１の案内通路で、第１の案内通路２３は、キャップ本体２内に設けられ、図４記載の容器本体１’（又は、図５記載の容器本体１）に連通すると共に、図４記載の容器本体１’（又は、図５記載の容器本体１）の内容物１１を案内するものである。
また、図３に示す２４は第１の貯留室で、第１の貯留室２４は、容器本体１（又は、図５記載の容器本体１’）を第１の方向［第１の方向は、容器本体１を正立させた状態から倒立させる方向であり、具体的には、例えば、図６（ａ）に示す反時計回りである。］に傾けた状態にあって、第１の案内通路２３に案内された容器本体１’（又は、図５記載の容器本体１）内の内容物１１を一定量貯留するものである。
また、図３に示す２５は第２の案内通路で、第２の案内通路２５は、キャップ本体２内に設けられ、第１の貯留室２４に連通すると共に、第１の貯留室２４内の内容物１１を案内するものである。
また、図３に示す２６は第２の貯留室で、第２の貯留室２６は、キャップ本体２内に設けられ、容器本体１’（又は、図５記載の容器本体１）を第１の方向と逆方向［逆方向は、容器本体１を倒立させた状態から正立させる方向であり、具体的には、例えば、図６（ｂ）に示す時計回りである］に傾けた状態にあって、第２の案内通路２５に案内された第１の貯留室２４に貯留された内容物１１を貯留するものである。
また、図３に示す２７は第３の案内通路で、第３の案内通路２７は、キャップ本体２内に設けられ、第２の貯留室２６に貯留された内容物を第１の開口部２１へ導くものである。
【００１８】
そして、キャップ本体２に、少なくとも、外方へ張り出す第１、第２のパッキン２８、２９とを備えている。第２のパッキン２９の外径Ｐ２は、第１のパッキン２８の外径Ｐ１より大となっている。なお、第１の案内通路２３の容器本体１（又は、図５記載の容器本体１’）内に臨む開口部は、第２の開口部２３ａであり、この第２の開口部２３ａから第１の開口部２１に向かう方向に、第１のパッキン２８、第２のパッキン２９の順で配置されている。
なお、第１のパッキン２８と第２のパッキン２９との間に、図２に示すように、中間のパッキン３０、３０’を設けるようにしても良い。
【００１９】
このように、第１のパッキン２８、第２のパッキン２９の順で配置されているため、容器本体１（図４）の口径の内径Ｑ１がＰ１より小さくキャップ本体２の口径より大きい場合には、第１のパッキン２８が容器本体１（図４）の口径の内壁に圧接してシールされると共に、容器本体１（図４）に装着され、
容器本体１’（図５）の口径の内径Ｑ２がＰ１より大きくＰ２より小さい場合には、第２のパッキン２９が容器本体１’（図５）の口径の内壁に圧接してシールされると共に、容器本体１’（図５）に装着され、
つまり、１個の定量吐出キャップＣにより、異なった容器本体１、１’の口径に対応することができる。
【００２０】
なお、 図６（ａ）に示すように、定量吐出キャップＣを装着した容器本体１を第１の方向［第１の方向は、容器本体１を正立させた状態から倒立させる方向であり、具体的には、例えば、図６（ａ）に示す反時計回りである。］に傾けると、容器本体１内の内容物１１が第１の案内通路２３に案内され、容器本体１内の内容物１１が第１の貯留室２４に貯留される。
次に、図６（ｂ）に示すように、容器本体１を第１の方向と逆方向（時計回り）に傾けると、容器本体１内の内容物１１が第２の案内通路２５に案内され、容器本体１内の内容物１１が第２の貯留室２６に貯留される。
次に、図６（ｃ）に示すように、図６（ｂ）と逆方向に傾けると、容器本体１内の内容物１１を定量、容器本体１外へ吐出することとなる。
【００２１】
また、上述の実施例においては、キャップ本体２に第１のパッキン２８と同じ外径Ｐ１を有する第１’のパッキン２８’を第１のパッキン２８に並設し、キャップ本体２に第２のパッキン２９と同じ外径Ｐ２を有する第２’のパッキン２９’を第２のパッキン２９’に並設している。つまり、同じ外径のパッキン２８、２８’（２９，２９’）を並設して、装着とシールをより確実に行うことができるようにしてある。
【００２２】
また、上述の実施例においては、第１の貯留室２４は、一端が開口した凹所で、前記凹所の底部の中心２４Ａが第１の開口部２１の中心２１Ａと一致する位置に配置されている（図３参照）が、
本願考案は、これに限らず、図７記載のように、第１の貯留室２４は、一端が開口した凹所で、前記凹所の開口部は、第２の開口部２３ａに臨み、前記凹所の底部の中心２４Ａが第１の開口部２１の中心２１Ａより外れた位置に配置されているようにしても良い。
これは、図３記載のように、第１の貯留室２４の凹所の底部の中心２４Ａと第１の開口部の中心２１Ａとが一致したものに比較し、第２の案内通路２５、第３の案内通路２７の通路を大きくとれる分、内容物１１をスムーズに案内することができ、特に、容器本体１（１’）の口径が小さくなった場合に、有効である。
【００２３】
また、上述の実施例においては、容器本体１（１’）の内容物１１を定量吐出するようにしたが、本願考案は、これに限らず、上述の実施例の第１の開口部２１、第１の案内通路２３、第１の貯留室２４、第２の案内通路２５、第２の貯留室２６、第３の案内通路２７を除去した吐出キャップ（図示せず）でも良い。
つまり、吐出キャップ（図示せず）は、容器本体１（１’）に着脱自在に装着される吐出キャップであって、外方へ容器本体１（１’）の内容物１１を吐出する第１の開口部２１、この第１の開口部２１を開閉する蓋２２、容器本体１（１’）内に臨む第２の開口部２３ａを備えたキャップ本体２と、キャップ本体２に、少なくとも、外方へ張り出す第１、第２のパッキン２８、２９とを備え、第２のパッキン２９の外径Ｐ２は、第１のパッキン２８の外径Ｐ１より大であり、第２の開口部２３ａから第１の開口部２１に向かう方向に、第１のパッキン２８、第２のパッキン２９の順で配置されていても良い。
上述の吐出キャップ（図示せず）にあっては、異なった容器本体１、１’の口径に対応することができるものである。
【符号の説明】
【００２４】
Ｃ      定量吐出キャップ            
１      容器本体
２      キャップ本体
１１    内容物
２１    第１の開口部
２２    蓋
２３    第１の案内通路
２３ａ  第２の開口部
【図１】
0003205790.tif 000003
【図２】
0003205790.tif 000004
【図３】
0003205790.tif 000005
【図４】
0003205790.tif 000006
【図５】
0003205790.tif 000007
【図６】
0003205790.tif 000008
【図７】
0003205790.tif 000009